(57)【要約】【課題】本発明は、リラクゼーション等の施術者の腕手への負荷を低減しつつ、施術者の腕手を駆使した多様な施術の効果を有効に奏させるのに適した湾曲物品を提供することを課題とする。【解決手段】本発明は、  人体の肉質部分の外表面を押圧及び／又は摩擦するための湾曲物品であって、  前記湾曲物品は長さ方向に上面と、前記上面に対向する下面とを有し、  前記上面及び前記下面のそれぞれが少なくとも１の凹部を備える湾曲物品である。【選択図】図１７
2019037668.tif 000002
【特許請求の範囲】
【請求項１】
人体の肉質部分の外表面を押圧及び／又は摩擦するための湾曲物品であって、
前記湾曲物品は長さ方向に上面と、前記上面に対向する下面とを有し、
前記上面及び前記下面のそれぞれが少なくとも１の凹部を備える湾曲物品。
【請求項２】
前記上面及び／又は前記下面がさらに凸部を備え、一方の面の少なくとも１つの凸部が、他方の面の少なくとも１つの前記凹部と対向している請求項１記載の湾曲物品。
【請求項３】
前記湾曲物品が人体の外表面を押圧及び／又は摩擦際に、少なくとも前記人体の外表面に接触する前記湾曲物品の部分の材質が木質である請求項１又は２記載の湾曲物品。
【請求項４】
人体の外表面を押圧及び／又は摩擦ことを業とするセラピストが使用するための請求項１〜３のいずれか１項記載の湾曲物品。
【請求項５】
２以上の請求項１〜４のいずれか１項記載の湾曲物品からなる湾曲物品キット。
【発明の詳細な説明】
【技術分野】
【０００１】
本発明は、マッサージ又は按摩等において、人体の肉質部分の外表面を押圧及び／又は摩擦ために使用される湾曲物品に関する。
【背景技術】
【０００２】
人体をマッサージ又は按摩するために使用する人体の肉質部分の外表面を押圧及び／又は摩擦ための補助具は、従来から数多く提案されている。例えば、
特許文献１には、マッサージを行おうとする者が施術する場合に使用する特定の形状のマッサージ器具が開示され、
特許文献２には身体用のマッサージ具が開示されている。
【先行技術文献】
【特許文献】
【０００３】
【特許文献１】特開２０１１−０３１００３公報
【特許文献２】意匠登録第１５１１３３３号
【発明の開示】
【発明が解決しようとする課題】
【０００４】
近年、事故・過度のスポーツ等による故障に対する身体のリハビリに伴う筋肉の凝り・精神的ストレス等の緩和を目的とする伝統的手技であるマッサージ及び按摩だけでなく、仕事・日常生活の心身のストレスの緩和を目的とする、伝統的手技の要素をアレンジし、又は新たな手技の要素を取り込んだ、いわゆるリラクゼーションを提供する業者に対する需要が増大している。
【０００５】
一方で、上記需要の増大に伴い、施術対象となる日本人の体格が向上する、男性の利用者が増える、日本人よりも体格の大きな来日する外国人の利用者が増える等により、マッサージ、按摩、リラクゼーション等（以下「リラクゼーション等」という）の施術者の腕手に大きな負荷が継続的にかかり、近年の施術者の心身の故障の大きな要因となっている。
【０００６】
このような施術者のために、上記したような補助具が数多く提案されているが、例えば、以下のように、施術者の腕手への負荷を低減しつつ、施術者の腕手を駆使した多様な施術の効果を有効に奏させるのに十分とはいえなかった。
【０００７】
特許文献１に開示されるマッサージ器具は、掌で握って使用する拳大の補助具であり、人体表面の押圧部分が掌程度の面積を有する単一の形状であるため、腕手の各部位による多様な施術に対応することができない。
【０００８】
特許文献２に開示されるマッサージ具も、人体のカーブ部分に適用させことを主観点とした湾曲形状をしており、施術者の手腕による施術を補助するという観点が十分ではない。
【０００９】
本発明は、リラクゼーション等の施術者の腕手への負荷を低減しつつ、施術者の腕手を駆使した多様な施術の効果を有効に奏させるのに適した湾曲物品を提供することを課題とする。
【課題を解決するための手段】
【００１０】
本発明は、
［１］人体の肉質部分の外表面を押圧及び／又は摩擦するための湾曲物品であって、
前記湾曲物品は長さ方向に上面と、前記上面に対向する下面とを有し、
前記上面及び前記下面のそれぞれが少なくとも１の凹部を備える湾曲物品（以下「本発明１」ともいう）、及び、
［２］２以上の前項［１］記載の湾曲物品からなる湾曲物品キット（以下「本発明２」ともいう）に関する。
以下では、本発明１及び２をまとめて「本発明」ともいう。
【発明の効果】
【００１１】
本発明は、リラクゼーション等の施術者の腕手への負荷を低減しつつ（以下「負荷低減性」ともいう）、施術者の腕手を駆使した多様な施術の効果を有効に奏させる（以下「施術効果伝達性」ともいう）のに適した湾曲物品を提供することができる。
なお、本発明は、事故・過度のスポーツ等による肉質部分ではない関節部位等の骨や靭帯等の故障個所のリハビリそのものに対して効果を奏することを目的としない。
【図面の簡単な説明】
【００１２】
【図１】図１(a1)〜(a3)：本発明１の実施形態例１の側面図である。
【図２】図２(b)：本発明１の実施形態例１の上面図である。
【図３】図３(c)：本発明１の実施形態例１の側面図左から見た正面図である。
【図４】本発明１の実施形態例２の側面図である。
【図５】本発明１の実施形態例２の側面図である。
【図６】本発明１の実施形態例２の側面図である。
【図７】本発明１の実施形態例２の側面図である。
【図８】本発明１の実施形態例２の上面図である。
【図９】本発明１の実施形態例２の側面図左から見た正面図である。
【図１０】本発明１の実施形態例３の側面図である。
【図１１】本発明１の実施形態例３の側面図である。
【図１２】本発明１の実施形態例３の側面図である。
【図１３】本発明１の実施形態例３の側面図である。
【図１４】本発明１の実施形態例３の上面図である。
【図１５】本発明１の実施形態例３の側面図左から見た正面図である。
【図１６】本発明１の実施形態例３の側面図右から見た正面図である。
【図１７】本発明２の実施形態例１の側面図である。
【図１８】１母指施術の手技形態と実施形態例１の代替端部である。
【図１９】２母指施術の手技形態と実施形態例１の代替凸部である。
【図２０】２母指・四横指・肘施術の手技形態と実施形態例１による代替凸部である。
【図２１】２手根施術の施術箇所の例（腕側）と実施形態例１による代替凸部である。
【図２２】指間腔施術の施術箇所の例（腕回り）である。
【図２３】指間腔施術の実施形態例２による代替凹部である。
【図２４】握掌施術の手技形態と実施形態例３による代替形態である。
【発明を実施するための形態】
【００１３】
〔施術手技〕
本発明を適用するのに好適なリラクゼーション等の施術者の手技を説明する。
図１８〜２４を参照すると理解し易い。
【００１４】
（１）掌で人体の肉質部分の外表面を押圧及び／又は摩擦する手掌施術
掌１つ又は両手の掌２つで背中、大腿部、脹脛、二の腕、腹部のように人体の柔らかい肉質部分に軽い押圧と摩擦を加えることで、ボディラインの整調や精神的なリフレッシュの効果が期待される。
【００１５】
（２）親指と人差指の間で人体の肉質部分の外表面を押圧及び／又は摩擦する指間腔施術
親指と人差指の間を人体の肉質部分の外表面の凸部にはめ込んで押圧及び／又は摩擦する手技である。
顔の輪郭、二の腕等の腕回り、脇腹等の人体の肉質部分の曲率半径の小さい湾曲表面に沿って押圧及び／又は摩擦することで、当該凸部の筋肉までの深い層の凝りをほぐして、ボディラインの整調や精神的なリフレッシュの効果が期待される。
【００１６】
（３）掌の付け根で人体の肉質部分の外表面を押圧及び／又は摩擦する母指球手根施術。
掌の付け根（手根及び／又は母指球）に施術者の体重をかけて応力集中して押圧及び／又は摩擦する手技である。手根と母指球を
手根施術は、片手の手根を使用する場合と、両腕の手根を横に並べて手根２つを使用する場合があるが、押圧効果が高い手根２つで押圧及び／又は摩擦することが好ましい。
【００１７】
（４）親指で人体の肉質部分の外表面を押圧及び／又は摩擦する母指施術
親指１本又は２本の指頭に施術者の体重をかけて応力集中して押圧及び／又は摩擦する手技である。
人体のツボを押圧し、肩等の人体のいわゆる凝った肉質部分の筋肉までの深い層に対して、面方向に筋肉をほぐすことで血流促進をして精神的なリフレッシュに繋がる効果が期待される。
母指施術は、親指１本で押圧及び／又は摩擦する場合と、左右の手の親指を横に並べて親指２本で押圧及び／又は摩擦する場合があるが、押圧効果が高い親指２本で押圧及び／又は摩擦することが好ましい。
【００１８】
（５）第２〜４指の指頭で人体の肉質部分の外表面を押圧及び／又は摩擦する四横指施術
第２〜４指の指頭を横に並べて押圧及び／又は摩擦する手技である。
母指施術に比べて応力集中が相対的に小さいため、人体の肉質部分の皮膚表面や背中全体のような広範囲の肉質部分の外表面近傍を対象とし、皮膚表面温度を上昇させ皮膚表面の緊張を緩和し、身体的・精神的なリラックス効果が期待される。
【００１９】
（６）握りこぶしで人体の肉質部分の外表面を握掌施術
握りこぶしの指の背面で形成される平面部と指の間接で形成される凸部とで、人体の肉質部分の外表面を、様々な応力を集中して押圧及び／又は摩擦手技である。
【００２０】
（７）肘で人体の肉質部分の外表面を押圧及び／又は摩擦する肘施術
腕を曲げて形成突出した肘関節部分で、人体の肉質部分の外表面をに応力を集中して押圧及び／又は摩擦手技である。
母指施術に比べて応力集中が相対的に大きく、人体の肉質部分の外表面に対する接触面積が大きいため、背中全体のような広範囲の肉質部分の外表面から深い部分を対象として押圧及び／又は摩擦する。
【００２１】
〔本発明１〕
本発明１は、
人体の外表面を押圧及び／又は摩擦ための湾曲物品であって、
前記湾曲物品は長さ方向に上面と、前記上面に対向する下面とを有し、
前記上面及び前記下面のそれぞれが少なくとも１の凹部を備える湾曲物品である。
【００２２】
（外包直方体）
本発明１が平面で切り取られる断面積が最大となるときの当該平面をＳＶとする。
ＳＶで切り取られる本発明１の断面の輪郭線と交わる直線が、当該輪郭線で切り取られる最大長の線分Ｘの方向を本発明１の長さ方向、当該線分Ｘの長さＬを本発明１の長さといい、線分Ｘの両末端を本発明１の末端という。
【００２３】
ＳＶの一方の側（以下「一方の側方」という）のＳＶに平行な本発明１の接平面で、ＳＶから最遠の接平面と、
ＳＶの他方の側（以下「他方の側方」という）のＳＶに平行な本発明１の接平面で、ＳＶから最遠の接平面との距離Ｗを本発明１の厚さといい、ＳＶに垂直な方向を厚さ方向という。
【００２４】
線分Ｘを含むＳＶに垂直な平面をＳＨとしたとき、
ＳＨの一方の側（以下「上方」という）のＳＨに平行な本発明１の接平面で、ＳＨから最遠の接平面と、
ＳＨの他方の側（以下「下方」という）のＳＨに平行な本発明１の接平面で、ＳＨから最遠の接平面との距離Ｈを本発明１の高さといい、ＳＨに平行な方向を高さ方向という。
【００２５】
本発明１は長さＬ、高さＨ、厚さＷの直方体に接して外包されることになるが、当該直方体を本発明１の外包直方体という。
【００２６】
本発明１は、負荷低減性の観点から、施術者にとって取り扱い易い大きさであることが好ましいことと、施術効果伝達性の観点から、本発明１の端縁が人体の肉質部分の外表面に接触した際に、厚さが過度に大きい（厚すぎる）と端縁部に応力が集中し難くなり、厚さが過度に小さい（薄すぎる）と端縁部に応力が集中しすぎて人体の肉質部分の外表面が傷ついたり肉質部分が損壊したりすることにつながるため、外包直方体の（Ｌ、Ｈ、Ｗ）は、
好ましくは、（100〜1000ｍｍ、20〜200ｍｍ、10〜100ｍｍ）、
より好ましくは、（200〜700ｍｍ、30〜150ｍｍ、15〜50ｍｍ）
更に好ましくは、（350〜500ｍｍ、50〜100ｍｍ、20〜30ｍｍ）であり、
長さと高さの比Ｌ／Ｈは、好ましくは１．５〜２０、より好ましくは２．５〜１５、更に好ましくは５〜１０であり、
長さと厚さの比Ｌ／Ｗは、好ましくは５〜４０、より好ましくは１０〜３０、更に好ましくは１５〜２５である。
【００２７】
（凹部）
本発明１は、本発明１の上方の空間に接する長さ方向に線分Ｘの両端間で連続した外表面（以下「上面」という）と下方の空間に接する長さ方向に線分Ｘの両端間で連続した外表面（以下「下面」という）を有し、上面及び下面は対向している。
【００２８】
本発明１の上面及び下面の稜線は、高さ方向に対して湾曲しており、それぞれが少なくとも１の凹部を構成する。上面及び下面のそれぞれの稜線が凹部を構成するとき、当該上面及び下面はそれぞれ凹部を備えるともいう。
【００２９】
以下では、上面のが備える凹部を「上面の凹部」又は「上面凹部」、下面が備える凹部を「下面凹部」という。
【００３０】
負荷低減性と施術効果伝達性の観点から、凹部によって人体の湾曲部位に均一に応力が加わるように、凹部を構成する稜線は短い直線が接続して多角形で近似される湾曲を形成しても、滑らかな曲線で湾曲を形成してもよいが、滑らかな曲線で湾曲を形成していることが好ましい。
【００３１】
一の凹部を構成する稜線と交わる直線から当該稜線で切り取られる最大長の線分（以下「凹部の底辺」という）の長さをｌ凹、当該最大長の線分に垂直な直線が当該最大長の線分と当該稜線とで切り取られる最大の線分（以下「凹部の高さ」という）の長さをｈ凹とする。
なお、当該最大長の線分と稜線の交点を凹部の頂点という。
【００３２】
（凸部）
本発明１の上面及び下面の稜線は、負荷低減性及び施術効果伝達性の観点から、さらに少なくとも１の凸部を構成することが好ましい。
【００３３】
上面及び／又は下面の稜線が凸部を構成するとき、凸部を構成する当該上面又は下面は凸部を備えるともいう。
【００３４】
本発明１の両末端は、両端部を頂点とする凸部を構成している。
【００３５】
以下では、上面の稜線が構成する凸部を「上面の凸部」又は「上面凸部」、下面の稜線が構成する凹部を「下面凸部」という。
【００３６】
凸部が人体の湾曲部位に集中した応力を加える観点から、凸部を構成する稜線は短い直線が接続して多角形で近似される湾曲を形成しても、滑らかな曲線で湾曲を形成してもよいが、滑らかな曲線で湾曲を形成していることが好ましい。
【００３７】
凸部を構成する稜線と交わる直線が当該稜線で切り取られる最大長の線分（以下「凸部の底辺」という）の長さをｌ凸、当該最大長の線分に垂直な直線が当該最大長の線分と当該稜線とで切り取られる最大の線分（以下「凸部の高さ」という）の長さをｈ凸とする。
なお、当該最大長の線分と稜線の交点を凸部の頂点という。
【００３８】
（湾曲端縁近傍の好適形態）
負荷低減性及び施術効果伝達性の観点から、本発明１の凹部及び凸部の湾曲端縁を形成する稜線の両側面は稜線に向けて鋭角を形成するのではなく丸みを帯びていることが好ましい。
【００３９】
丸みの程度は、後述する凹部又は凸部が代替する施術機能に応じて以下の２形態が好ましい。
（１）稜線に垂直な稜線を含む断面は円又は円に近い上下面方向に長い楕円であるエッジ形態１；
（２）本発明１の側方の空間に接している表面（以下「側面」ともいう）において、当該表面の内部から稜線の向きにテーパー状に厚みが薄くなっているエッジ形態２。
【００４０】
負荷低減性及び施術効果伝達性の観点から、人体の肉質部分の外表面にあまり応力を集中させたくない場合は稜線近傍はエッジ形態１が好ましく、人体肉質部分の外表面に応力を集中させたい場合は稜線近傍はエッジ形態２であることが好ましい。
【００４１】
（凹部の好適設計）
凹部は、凹部湾曲端縁が人体の湾曲部位に押し当てられて当該湾曲部位に応力及び／又は摩擦を加えるために使用され、以下のような機能が代替されるように設計されることが好ましい。
【００４２】
（１）１手掌施術代替凹部
凹部の底辺が片手の掌程度の幅の大きさで、大腿部、背中、脹脛、二の腕、腹部のような柔らかい肉質部分の外表面にあてがわれ、手掌施術機能を代替する観点から、
ｌ凹とｈ凹／ｌ凹（ｌ凹、ｈ凹／ｌ凹）は、
好ましくは（40〜200ｍｍ、0.01〜0.30）、
より好ましくは（50〜170ｍｍ、0.03〜0.25）、
更に好ましくは（60〜140ｍｍ、0.05〜0.20）である。
【００４３】
（２）２手掌施術代替凹部
凹部の底辺が両手の掌を横に並べた程度の幅の大きさで、大腿部、背中、脹脛、二の腕、腹部のような柔らかい肉質部分の外表面にあてがわれ、手掌施術機能を代替する観点から、
ｌ凹とｈ凹／ｌ凹（ｌ凹、ｈ凹／ｌ凹）は、
好ましくは（150〜400ｍｍ、0.05〜0.30）、
より好ましくは（200〜350ｍｍ、0.07〜0.25）、
更に好ましくは（250〜310ｍｍ、0.1〜0.22）である。
【００４４】
（３）指間腔施術代替凹部
凹部の底辺が指間腔を形成する親指先端と人差し指先端の直線距離程度の大きさで、顔の輪郭、顎下回り、首回り、耳回り、鎖骨回り、脇回り、バストアンダー周囲、二の腕、脹脛、合い首回りのようなリンパ筋近傍及び腹部よりも相対的に細い部分の押圧及び／又は摩擦する指間腔施術を代替する観点から、
ｌ凹とｈ凹／ｌ凹（ｌ凹、ｈ凹／ｌ凹）は、
好ましくは（20〜250ｍｍ、0.09〜0.25）、
より好ましくは（80〜220ｍｍ、0.11〜0.20）、
更に好ましくは（110〜190ｍｍ、0.13〜0.18）である。
【００４５】
人体の肉質部分の外表面に加わる応力の観点から、
手掌施術代替凹部及び２手掌施術代替凹部の稜線近傍はエッジ形態１であることが好ましいく、
指間腔施術代替凹部の稜線近傍はエッジ形態１であることが好ましい。
【００４６】
上面凹部の底辺の総和をΣｌ凹上、高さの総和をΣｈ凹上、下面凹部の底辺の総和をΣｌ凹下、高さの総和をΣｈ凹下とすると、
Σｌ凹上≦Ｌ、Σｌ凹下≦Ｌ、Ｌ≦Σｌ凹上＋Σｌ凹下、Σｈ凹上＜Ｈ、Σｈ凹下＜Ｈ
であることが好ましい。
【００４７】
（凸部の好適設計）
凸部は、凸部湾曲端縁が人体の肉質部分の体表面に押し当てられて当該表面部分に応力及び／又は摩擦を加えるために使用され、以下のような機能が代替されるように設計されることが好ましい。
【００４８】
（１）２手根施術代替凸部
両手の手根を横に並べて施術する機能を代替する観点から、
ｌ凸とｈ凸／ｌ凸（ｌ凸、ｈ凸／ｌ凸）は、
好ましくは（150〜400ｍｍ、0.05〜0.25）、
より好ましくは（200〜350ｍｍ、0.07〜0.20）、
更に好ましくは（250〜310ｍｍ、0.10〜0.15）である。
【００４９】
（２）１母指施術代替凸部
母指１本で施術する機能を代替する観点から、端部以外のｌ凸とｈ凸／ｌ凸（ｌ凸、ｈ凸／ｌ凸）は、
好ましくは（40〜130ｍｍ、0.03〜0.21ｍｍ）、
より好ましくは（60〜150ｍｍ、0.05〜0.17ｍｍ）、
更に好ましくは（80〜170ｍｍ、0.07〜0.15ｍｍ）である。
１母指施術代替凸部が本発明１の両端部に構成される場合の端部以外のｌ凸とｈ凸／ｌ凸（ｌ凸、ｈ凸／ｌ凸）は、
好ましくは（7〜80ｍｍ、0.20〜1.20ｍｍ）、
より好ましくは（10〜50ｍｍ、0.35〜0.90ｍｍ）、
更に好ましくは（12〜30ｍｍ、0.50〜0.70ｍｍ）である。
なお、端部のｈ凸は、線分Ｘの端部でのＳＶ内の接線に垂直に、本発明１の内部に１ｃｍの点を通る当該接線に平行な直線が本発明１のＳＶ内の本発明１で切り取られる線分の長さを端部凸部の底辺ｌ凸、当該１ｃｍを端部凸部の高さｈ凸とする。
【００５０】
（３）２母指・母指球・四横指・肘施術代替凸部
２〜４本の母指・母指球・四横指・肘で施術する機能を代替する観点から、
ｌ凸とｈ凸／ｌ凸（ｌ凸、ｈ凸／ｌ凸）は、
好ましくは（80〜250ｍｍ、0.10〜0.30）、
より好ましくは（100〜210ｍｍ、0.12〜0.25）、
更に好ましくは（120〜180ｍｍ、0.15〜0.22）である。
【００５１】
人体の肉質部分の外表面に加わる応力の観点から、
両端部以外の１母指施術代替凸部及び２母指・母指球・四横指・肘施術代替凸部稜線近傍はエッジ形態１であることが好ましいく、
両端部の１母指施術代替凸部及び指間腔施術代替凹部の稜線近傍はエッジ形態２であることが好ましい。
【００５２】
（握掌施術代替凸部及び手掌施術代替テーパー部の好適設計）
（１）握掌施術代替凸部
握掌施術における握りこぶしの手背部の指第２関節と指の背部の機能を代替する観点からは、本発明１は握りこぶし程度の大きさであることが好ましく、この場合、
本発明１の（Ｌ、Ｈ、Ｗ）は、
好ましくは（110〜200ｍｍ、40〜130ｍｍ、30〜60ｍｍ）
より好ましくは（130〜180ｍｍ、55〜110ｍｍ、35〜55ｍｍ）
更に好ましくは（140〜160ｍｍ、60〜80ｍｍ、40〜50ｍｍ）であり、
端部以外のｌ凸とｈ凸／ｌ凸（ｌ凸、ｈ凸／ｌ凸）は、
好ましくは（100〜220ｍｍ、0.10〜0.50）、
より好ましくは（110〜200ｍｍ、0.15〜0.45）、
更に好ましくは（120〜150ｍｍ、0.20〜0.40）であり、
端部のｌ凸とｈ凸／ｌ凸（ｌ凸、ｈ凸／ｌ凸）は、
好ましくは（10〜90ｍｍ、0.11〜1.00）、
より好ましくは（15〜70ｍｍ、0.14〜0.67）、
更に好ましくは（20〜50ｍｍ、0.20〜0.50）である。
【００５３】
（２）手掌施術代替テーパー部
本発明１が上記の握りこぶし程度の好適な大きさ（Ｌ，Ｈ、Ｗ）である場合、手掌施術の機能を代替する観点から、ＳＶの他方の側（以下「他方の側方」という）のＳＶに平行な本発明１の接平面で、ＳＶから最遠の接平面と本発明１の接点をＰとしたときに、上面又は下面に凹部を備え、当該凹部の稜線から点Ｐまでの勾配を含むテーパー面が形成されていることが好ましく、この場合、
凹部のｌ凹とｈ凹／ｌ凹（ｌ凹、ｈ凹／ｌ凹）は、
好ましくは（80〜180ｍｍ、0.01〜0.20）、
より好ましくは（100〜160ｍｍ、0.02〜0.10）、
更に好ましくは（110〜130ｍｍ、0.03〜0.07）であり、
点Ｐから稜線までの最大長Ｔは、
好ましくは45〜55ｍｍ、より好ましくは40〜60ｍｍ、更に好ましくは35〜65ｍｍである。
【００５４】
なお、上面凹部の底辺の総和をΣｌ凸上、高さの総和をΣｈ凸上、下面凹部の底辺の総和をΣｌ凸下、高さの総和をΣｈ凸下とすると、＞
Σｌ凸上≦Ｌ、Σｌ凸下≦Ｌ、Ｌ≦Σｌ凸上＋Σｌ凸下、Σｈ凸上＜Ｈ、Σｈ凸下＜Ｈ
であることが好ましい。
【００５５】
（凹部と凸部の組合せ）
上面又は下面お一方の面において、隣り合う凹部の接続部が凸部であることが好ましい。即ち、隣り合う凹部はそれぞれ隣接する凹部の稜線の端部が滑らかな曲線で接続され、当該接続部分が湾曲した凸部を形成することが好ましい。即ち、上面及び下面の一方の面で、凹部と凸部は隣接しており、凹部の頂点が凸部の底辺の末端で、凸部の頂点が凹部の末端であることが好ましい。
【００５６】
負荷低減性の観点から、本発明１がコンパクトになるように、本発明１の上面及び下面の少なくとも１の凹部は、他方の面の凸部と対向していることが好ましく、
本発明１の上面及び下面の一方の面に２手掌施術代替凹部が、他方の面に２手根施術代替凸部が構成されている場合、当該２手掌施術代替凹部と当該２手根施術代替凸部が対向していることが好ましく、
【００５７】
本発明１の上面及び下面の一方の面に１手掌施術代替凹部が、他方の面に２母指・母指球・四横指・肘施術代替凸部が構成されている場合、当該１手掌施術代替凹部と２母指・母指球・四横指・肘施術代替凸部が対向していることが好ましい。
【００５８】
本発明１のコンパクト性の観点から、線分Ｘの端部から１ｃｍを除く部分本発明１の対向する上面及び下面で切り取られるＳＶ内の線分Ｘの端部から30ｍｍを除く部分に垂直な線分の長さ（対向する面の距離）で、
最小値ｄｍｉｎは、好ましくは5〜50ｍｍ、より好ましくは10〜40ｍｍ、更に好ましくは15〜35ｍｍであり、
最大値ｄｍａｘは、好ましくは30〜120ｍｍ、より好ましくは35〜100ｍｍ、更に好ましくは40〜80ｍｍであり、
ｄｍａｘ＞ｄｍｉｎである。
【００５９】
負荷低減性及び施術効果伝達性の観点から、本発明１の上面又は下面に凹部又は凸部が複数ある場合、その中の少なくとも２つは、それぞれの底辺及び／又は高さの値が異なる凹部を、又は凸部を組合せることが好ましく、
底辺の場合、好ましくは5〜40ｍｍ、より好ましくは10〜30ｍｍ、更に好ましくは15〜25ｍｍ異なり、
高さの場合、好ましくは1〜15ｍｍ、より好ましくは2〜10ｍｍ、更に好ましくは3〜5ｍｍ異なることである。
【００６０】
負荷低減性及び施術効果伝達性の観点から、本発明１は、１手掌施術代替凹部、２手掌施術代替凹部及び指間腔施術代替凹部からなる群から選ばれる、好ましくは少なくとも１種の、より好ましくは少なくとも２種の、更に好ましくは少なくとも３種の凹部を備えることが好ましい。
【００６１】
負荷低減性及び施術効果伝達性の観点から、本発明１は、上記凹状湾曲部位に加えて、さらに、２手根施術代替凸部、１母指施術代替凸部及び２母指・母指球・四横指・肘施術代替凸部からなる群から選ばれる、好ましくは少なくとも１種の、より好ましくは少なくとも２種の、更に好ましくは少なくとも３種の凸部を備えることが好ましく、１母指施術代替凸部が本発明１の両末端を構成することが好ましい。
【００６２】
（材質）
本発明１の材質は、施術を行うのに必要な強度と耐久性があればよく、木質、プラスチック、繊維強化プラスチック、セラミックス、金属等を使用できるが、少なくとも凹部及び凸部のエッジ部分は、人体への肌触りがよいという観点から、
好ましくは、木質、表面をアンチスリップ加工したプラスチック、セラミックス及び金属からなる群から選ばれる少なくとも１種の材質であり、
より好ましくは、木質及び／又は表面をアンチスリップ加工したプラスチック、
更に好ましくは、木質である。
【００６３】
負荷低減性及び施術効果伝達性の観点から、本発明１の凹部及び凸部のエッジ部分以外の部分は、軽量な木質及び／又はプラスチックが好ましく、木質がより好ましい。
【００６４】
木質としては、強度、軽量、肌触り、成形性の観点から、
好ましくは白樺、檜、アカマツ、カツラ、トチ、クスノキ、カヤ、カラマツ、キハダ、エゾマツ、ヒバ、モミ、ヒメコマツ、コウヤマキ、ヒノキ、スギ、ヤクスギ、クロマツ、サワラ等であり、より好ましくは、白樺又は檜であり、更に好ましくは、白樺である。
【００６５】
プラスチックとしては、強度、軽量、肌触り、成形性の観点から、ポリエチレン（ＰＥ）、ポリプロピレン（ＰＰ）、ポリスチレン（ＰＳ）、ポリ塩化ビニル（ＰＶＣ）、ポリ塩化ビニリデン（ＰＶＤＣ）、ポリアミド（ＰＡ）、ポリエチレンテレフタレート（ＰＥＴ）、非結晶ポリエチレンテレフタレート（Ａ−ＰＥＴ）、ポリ乳酸（ＰＬＡ）等の熱可塑性樹脂が好ましい。
【００６６】
金属としては、強度、軽量、肌触り、成形性の観点から、ステンレス、鉄、アルミニウム、真鍮、炭素鋼、チタン、銅等を使用できるが、環境衛生の観点から、ステンレス又はチタンが好ましく、ステンレスがより好ましい。
【００６７】
負荷低減性及び施術効果伝達性の観点から、本発明１の材質の密度（木の場合は、含水率が15%になった状態の気乾密度）は、好ましくは０．３〜４．０、より好ましくは０．４〜２．０、更に好ましくは０．５〜１．０、更に好ましくは０．６〜０．８である。
【００６８】
負荷低減性及び施術効果伝達性の観点から、本発明１の重量は、好ましくは３０〜５００ｇ、より好ましくは５０〜４００ｇ、更に好ましくは８０〜３００ｇである。
【００６９】
（製造方法）
本発明１は、強度、軽量、肌触りの観点から、上記した材質の材料に応じて、材料を切削成形する、金型で鋳造する、射出成形する、３Ｄプリンター成形する等によって所望の形態に一体成形することが好ましい。
【００７０】
〔キット〕
本発明２は、２以上の本発明１の湾曲物品からなる湾曲物品キットである。
凹部が代替する機能及び凸部が代替する機能を１つの本発明１の湾曲物品に担わせると、形状が複雑になったり、サイズ・重量が大きくなったりするため、負荷低減性及び施術効果伝達性の観点から、複数の本発明１の湾曲物品で分担して、本発明１を単独で使用するよりも、２以上の本発明１の湾曲物品からなる湾曲物品キットを使用することが好ましい。
【００７１】
負荷低減性及び施術効果伝達性の観点から、本発明２は、
少なくとも２手掌施術代替凹部を備える１の本発明１の湾曲物品１と、指間腔施術代替凹部を備える他の１の本発明１の湾曲物品２を含むキット１であることが好ましく、
キット１において湾曲物品１がさらに１手掌施術代替凹部粗備えるキット２であることがより好ましく、
キット１又は２において、さらに握掌施術代替凸部及び／又は手掌施術代替テーパー部を備える１の本発明１の湾曲物品３を含むキット３であることが更に好ましい。
【００７２】
負荷低減性及び施術効果伝達性の観点から、本発明２は、キット１〜３において、湾曲物品１及び／又は２が１母指施術代替凸部及び２母指・母指球・四横指・肘施術代替凸部からなる群から選ばれる、好ましくは少なくとも１種の、より好ましくは２種の、更に好ましくは３種の凸部を備えるキット４であることが好ましく、湾曲物品１及び／又は２の両末端が１母指施術代替凸部であることがキット５であることがより好ましく、
キット４又は５において、両末端以外にも１母指施術代替凸部及び／又は２母指・母指球・四横指・肘施術代替凸部を備えるキット６であることが更に好ましい。
【００７３】
〔用途〕
本発明１及び本発明２は、国家資格に基づき人体の肉質部分の外表面を押圧及び／又は摩擦ことを業とするあん摩マッサージ指圧師や、リラクゼーションの一環として人体の肉質部分の外表面を押圧及び／又は摩擦ことを業とするセラピストが、当該押圧作業の補助道具として、あるいは新たなリラクゼーション効果を追求するための道具として有用である。
【００７４】
〔実施形態例〕
（１）本発明１及び２の実施形態例１〜４について、図１〜１７を参照しながら説明する。
（２）本発明１の実施形態例１〜３の各部位の寸法は表１にまとめ、代替する施術機能は表２にまとめた。
（３）実施形態例１〜３において、
写真の上方に向く面が本発明１の上面、写真の下方に向く面が本発明１の下面、
本発明１は全て白樺製である。
（４）テーパーの最大長を含む点線と稜線で囲まれた領域はテーパーの領域である。
（５）表１の寸法部位に対応する図面の記号は、長さを示す線分は両末端に矢印をつけて範囲を明瞭にし、図面の明暗部領域を考慮して、文字と図形を白抜きにした場合がある。
【００７５】
（本発明１の実施形態例１）
本発明１の実施形態例１について図１〜３並びに表１及び２を参照しながら説明する。
【００７６】
実施形態例１は使用する凹部又は凸部の両端を両手で把持して人体の肉質部分の外表面を押圧及び／又は摩擦できるように、長さＬが高さＨに比べて大きくなっている。
【００７７】
実施形態例１の外包直方体の大きさは（Ｌ、Ｈ、Ｗ）は（435ｍｍ、70ｍｍ、30ｍｍ）であり、重量は２３９ｇである。
【００７８】
実施形態例１は、両端部が１母指施術代替凸部を形成し、
上面に２つの１手掌施術代替凹部及び１つの２手掌施術代替凹部が３つの１つの２母指施術代替凸部及び２つの１母指施術代替凸部と隣接し、
下面に１つの１手掌施術代替凹部及び１母指球施術凹部が１つの２手根施術代替凸部及び２母指・母指球・四横指・肘施術代替凸部と隣接する。
【００７９】
凹部及び凸部の稜線近傍の形態は、図１（ａ）右端部以外はエッジ形態１であり、図１（ａ）右端部はエッジ形態２で、上面及び下面方向に垂直の方向に扁平になっている。
【００８０】
実施形態例１は、
上面の２手掌施術代替凹部と下面の２手根施術代替凸部が対向し、
上面の１手掌施術代替凹部の１つと下面２母指・母指球・四横指・肘施術代替凸部の１つが対向している。
【００８１】
実施形態例１のように長さＬが高さＨに比べて大きく、複数の凹部及び凸部を備える、両手で握って操作する本発明１の外包直方体の大きさは（Ｌ、Ｈ、Ｗ）は、
好ましくは、（250〜550ｍｍ、40〜120ｍｍ、15〜60ｍｍ）、
より好ましくは、（300〜500ｍｍ、50〜100ｍｍ、20〜50ｍｍ）
更に好ましくは、（350〜450ｍｍ、60〜80ｍｍ、25〜40ｍｍ）であり、
重量は、好ましくは150〜350ｇ、より好ましくは180〜300ｇ、更に好ましくは210〜250ｇである。
【００８２】
（本発明１の実施形態例２）
本発明１の実施形態例２について図４〜９並びに表１及び２を参照しながら説明する。
【００８３】
実施形態例２は使用する凹部又は凸部の端部を一方の片手で把持して他方の片手を添えて人体の肉質部分の外表面を押圧及び／又は摩擦できるように、長さＬが実施形態例１よりも短い。
【００８４】
実施形態例２の外包直方体の大きさは（Ｌ、Ｈ、Ｗ）は（230ｍｍ、75ｍｍ、25ｍｍ）であり、重量は８８ｇである。
【００８５】
実施形態例２は、両端部が１母指施術代替凸部を形成し、
上面に１つの指間腔施術代替凹部及び１つの２母指・母指球・四横指・肘施術代替凸部が隣接し、
下面に１つの指間腔施術代替凹部及び１つ１手根施術代替凸部が隣接し、
上面の指間腔施術代替凹部と下面の１手根施術代替凸部が対向し、
上面の２母指・母指球・四横指・肘施術代替凸部と下面の指間腔施術代替凹部対向している。
【００８６】
凹部及び凸部の稜線近傍の形態は、上面の指間腔施術代替凹部、下面の１手根施術代替凸部及び図４左端部はエッジ形態２であり、それ以外の稜線近傍はエッジ形態１である。
【００８７】
実施形態例２のように片手で把持することを想定し、凹部又は凸部のエッジ形態２の稜線近傍が相対的に多い本発明１の外包直方体の大きさは（Ｌ、Ｈ、Ｗ）は、
好ましくは、（250〜550ｍｍ、40〜120ｍｍ、10〜45ｍｍ）、
より好ましくは、（300〜500ｍｍ、50〜100ｍｍ、15〜40ｍｍ）
更に好ましくは、（200〜250ｍｍ、65〜85ｍｍ、20〜30ｍｍ）であり、
重量は、好ましくは40〜200ｇ、より好ましくは60〜150ｇ、更に好ましくは80〜100ｇである。
【００８８】
（本発明１の実施形態例３）
本発明１の実施形態例３について図１０〜１６並びに表１及び２を参照しながら説明する。
【００８９】
実施形態例３は使用する握掌施術代替凸部を有効に活用するために握りこぶし大にして片手で操作できるようにしている。
【００９０】
実施形態例３の外包直方体の大きさは（Ｌ、Ｈ、Ｗ）は（145ｍｍ、70ｍｍ、45ｍｍ）であり、重量は１３５ｇである。
【００９１】
実施形態例３は、両端部が１母指施術代替凸部及び２母指施術代替凸部を形成し、
上面に１つの１手掌施術代替凹部が両端凸部と隣接し、
下面に１つの指間腔施術代替凹部が握掌施術代替凸部と隣接する。
【００９２】
下面の指間腔施術代替凹部以外の凹部及び凸部の稜線近傍の形態は、図１３右端部以外はエッジ形態２であり、下面の指間腔施術代替凹部の最低部で左右の勾配が図１３の前面から後面にかけて直線状の境界を形成する。
【００９３】
実施形態例３は、
上面の１手掌施術代替凹部と下面の握掌施術代替凸部が対向する。
【００９４】
実施形態例３のように使用する握掌施術代替凸部を有効に活用するために握りこぶし大にして片手で操作できるようにしている本発明１の外包直方体の大きさは（Ｌ、Ｈ、Ｗ）は、
好ましくは、（115〜185ｍｍ、40〜100ｍｍ、25〜80ｍｍ）、
より好ましくは、（125〜170ｍｍ、50〜90ｍｍ、30〜65ｍｍ）
更に好ましくは、（135〜155ｍｍ、60〜80ｍｍ、35〜55ｍｍ）であり、
重量は、好ましくは115〜180ｇ、より好ましくは120〜160ｇ、更に好ましくは125〜145ｇである。
【００９５】
【表１】
2019037668.tif 000003
【００９６】
【表２】
2019037668.tif 000004
【００９７】
（本発明２の実施形態例１）
本発明２の実施形態キット例１は、図１７に示すように、本発明１の実施形態例１、２及び３とで構成される。
【００９８】
本発明２の実施形態キット例１によれば、各湾曲物品が、従来の補助具に比べて、施術効果伝達性が補助具を使用しない場合と同等以上にし、施術者の負担を軽減するため、それぞれ異なる人体の肉質部分の外表面の箇所に対して、異なる押圧及び／摩擦効果の複数の施術を１回の施術機会で提供することができる。
【００９９】
（本発明２のその他の実施形態例）
（１）本発明２の実施形態キット例２は、本発明１の実施形態例１及び２とで構成される。
【０１００】
（２）本発明２の実施形態キット例３は、本発明１の実施形態例１及び３とで構成される。
【０１０１】
（３）本発明２の実施形態キット例４は、本発明１の実施形態例２及び３とで構成され、主に片手による施術の効果を代替することができる。
【符号の説明】
【０１０２】
Ｌ          外包直方体の長さ
Ｈ          外包直方体の高さ
Ｗ          外包直方体の幅
ｄｍａｘ      対向する面の距離の最大値
ｄｍｉｎ      対向する面の距離の最小値
ｒ１１        上面の稜線
ｒ１２        下面の稜線
ｒ２１        上面の稜線
ｒ２２        下面の稜線
ｒ３１        上面の稜線
ｒ３２        下面の稜線
ｒｔ２１      テーパーの領域の外縁
ｒｔ３１      テーパーの領域の外縁
Ｔ２１        テーパーの最大長部
Ｔ２２        テーパーの最大長部
Ｔ２３        テーパーの最大長部
ｌ凹ｉｊｋ      実施上形態例ｉ（ｉ＝１，２又は３）の上面凹部ｊｋの底辺
ｈ凸ｉｊｋ      実施上形態例ｉ（ｉ＝１，２又は３）の上面凸部ｊｋの高さ
１７−１      実施形態例１
１７−２      実施形態例２
１７−３      実施形態例３
【図１】
2019037668.tif 000005
【図２】
2019037668.tif 000006
【図３】
2019037668.tif 000007
【図４】
2019037668.tif 000008
【図５】
2019037668.tif 000009
【図６】
2019037668.tif 000010
【図７】
2019037668.tif 000011
【図８】
2019037668.tif 000012
【図９】
2019037668.tif 000013
【図１０】
2019037668.tif 000014
【図１１】
2019037668.tif 000015
【図１２】
2019037668.tif 000016
【図１３】
2019037668.tif 000017
【図１４】
2019037668.tif 000018
【図１５】
2019037668.tif 000019
【図１６】
2019037668.tif 000020
【図１７】
2019037668.tif 000021
【図１８】
2019037668.tif 000022
【図１９】
2019037668.tif 000023
【図２０】
2019037668.tif 000024
【図２１】
2019037668.tif 000025
【図２２】
2019037668.tif 000026
【図２３】
2019037668.tif 000027
【図２４】
2019037668.tif 000028
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
人体の肉質部分の外表面を押圧及び摩擦するための湾曲物品であって、
前記湾曲物品は、人体の外表面を押圧及び摩擦することを業とするセラピストが、ボディラインの調整を目的に含む、前記湾曲物品を使用して押圧及び摩擦をすることを含む施術に使用するためのものであり、
前記湾曲物品は長さ方向に上面と、前記上面に対向する下面とを有し、
前記上面及び前記下面のそれぞれが少なくとも１の凹部と、
前記上面及び前記下面のいずれかが少なくとも１の凸部とを備え、
前記湾曲物品を外包する外包直方体の長さＬ、高さＨ、厚さＷにおいて、Ｌ＝２００〜７００ｍｍ、Ｈ＝３０〜１５０ｍｍ、Ｗ＝１５〜５０ｍｍ、
前記長さＬと前記高さＨの比Ｌ／Ｈが２．５〜１５であり、
前記凹部及び前記凸部の湾曲端縁を形成するする稜線の両側面は稜線に向けて丸みを帯びている形態である湾曲物品。
【請求項２】
前記凹部の底辺の長さｌ凹及び高さｈ凹において、前記ｌ凹が２５０〜３１０ｍｍ、前記ｌ凹と前記ｈ凹の比ｈ凹／ｌ凹が０．１〜０，２２である請求項１記載の湾曲物品。
【請求項３】
前記凸部が、他方の面の少なくとも１つの前記凹部と対向している請求項１又は２記載の湾曲物品。
【請求項４】
前記湾曲物品が人体の外表面を押圧及び摩擦をする際に、少なくとも前記人体の外表面に接触する前記湾曲物品の部分の材質が木質である請求項１又は２記載の湾曲物品。
【請求項５】
２以上の請求項１〜４のいずれか１項記載の湾曲物品からなる湾曲物品キット。
【手続補正２】
【補正対象書類名】明細書
【補正対象項目名】全文
【補正方法】変更
【補正の内容】
【発明の詳細な説明】
【技術分野】
【０００１】
本発明は、マッサージ又は按摩等において、人体の肉質部分の外表面を押圧及び摩擦するために使用される湾曲物品に関する。
【背景技術】
【０００２】
人体をマッサージ又は按摩するために使用する人体の肉質部分の外表面を押圧及び摩擦するための補助具は、従来から数多く提案されている。例えば、
特許文献１には、マッサージを行おうとする者が施術する場合に使用する特定の形状のマッサージ器具が開示され、
特許文献２には身体用のマッサージ具が開示されている。
【先行技術文献】
【特許文献】
【０００３】
【特許文献１】特開２０１１−０３１００３公報
【特許文献２】意匠登録第１５１１３３３号
【発明の開示】
【発明が解決しようとする課題】
【０００４】
近年、事故・過度のスポーツ等による故障に対する身体のリハビリに伴う筋肉の凝り・精神的ストレス等の緩和を目的とする伝統的手技であるマッサージ及び按摩だけでなく、仕事・日常生活の心身のストレスの緩和を目的とする、伝統的手技の要素をアレンジし、又は新たな手技の要素を取り込んだ、いわゆるリラクゼーションを提供する業者に対する需要が増大している。
【０００５】
一方で、上記需要の増大に伴い、施術対象となる日本人の体格が向上する、男性の利用者が増える、日本人よりも体格の大きな来日する外国人の利用者が増える等により、マッサージ、按摩、リラクゼーション等（以下「リラクゼーション等」という）の施術者の腕手に大きな負荷が継続的にかかり、近年の施術者の心身の故障の大きな要因となっている。
【０００６】
このような施術者のために、上記したような補助具が数多く提案されているが、例えば、以下のように、施術者の腕手への負荷を低減しつつ、施術者の腕手を駆使した多様な施術の効果を有効に奏させるのに十分とはいえなかった。
【０００７】
特許文献１に開示されるマッサージ器具は、掌で握って使用する拳大の補助具であり、人体表面の押圧部分が掌程度の面積を有する単一の形状であるため、腕手の各部位による多様な施術に対応することができない。
【０００８】
特許文献２に開示されるマッサージ具も、人体のカーブ部分に適用させことを主観点とした湾曲形状をしており、施術者の手腕による施術を補助するという観点が十分ではない。
【０００９】
本発明は、リラクゼーション等の施術者の腕手への負荷を低減しつつ、施術者の腕手を駆使した多様な施術の効果を有効に奏させるのに適した湾曲物品を提供することを課題とする。
【課題を解決するための手段】
【００１０】
本発明は、
［１］人体の肉質部分の外表面を押圧及び摩擦するための湾曲物品であって、
前記湾曲物品は長さ方向に上面と、前記上面に対向する下面とを有し、
前記上面及び前記下面のそれぞれが少なくとも１の凹部を備える湾曲物品（以下「本発明１」ともいう）、及び、
［２］２以上の前項［１］記載の湾曲物品からなる湾曲物品キット（以下「本発明２」ともいう）に関する。
以下では、本発明１及び２をまとめて「本発明」ともいう。
【発明の効果】
【００１１】
本発明は、リラクゼーション等の施術者の腕手への負荷を低減しつつ（以下「負荷低減性」ともいう）、施術者の腕手を駆使した多様な施術の効果を有効に奏させる（以下「施術効果伝達性」ともいう）のに適した湾曲物品を提供することができる。
なお、本発明は、事故・過度のスポーツ等による肉質部分ではない関節部位等の骨や靭帯等の故障個所のリハビリそのものに対して効果を奏することを目的としない。
【図面の簡単な説明】
【００１２】
【図１】図１(a1)〜(a3)：本発明１の実施形態例１の側面図である。
【図２】図２(b)：本発明１の実施形態例１の上面図である。
【図３】図３(c)：本発明１の実施形態例１の側面図左から見た正面図である。
【図４】本発明１の実施形態例２の側面図である。
【図５】本発明１の実施形態例２の側面図である。
【図６】本発明１の実施形態例２の側面図である。
【図７】本発明１の実施形態例２の側面図である。
【図８】本発明１の実施形態例２の上面図である。
【図９】本発明１の実施形態例２の側面図左から見た正面図である。
【図１０】本発明１の実施形態例３の側面図である。
【図１１】本発明１の実施形態例３の側面図である。
【図１２】本発明１の実施形態例３の側面図である。
【図１３】本発明１の実施形態例３の側面図である。
【図１４】本発明１の実施形態例３の上面図である。
【図１５】本発明１の実施形態例３の側面図左から見た正面図である。
【図１６】本発明１の実施形態例３の側面図右から見た正面図である。
【図１７】本発明２の実施形態例１の側面図である。
【図１８】１母指施術の手技形態と実施形態例１の代替端部である。
【図１９】２母指施術の手技形態と実施形態例１の代替凸部である。
【図２０】２母指・四横指・肘施術の手技形態と実施形態例１による代替凸部である。
【図２１】２手根施術の施術箇所の例（腕側）と実施形態例１による代替凸部である。
【図２２】指間腔施術の施術箇所の例（腕回り）である。
【図２３】指間腔施術の実施形態例２による代替凹部である。
【図２４】握掌施術の手技形態と実施形態例３による代替形態である。
【発明を実施するための形態】
【００１３】
〔施術手技〕
本発明を適用するのに好適なリラクゼーション等の施術者の手技を説明する。
図１８〜２４を参照すると理解し易い。
【００１４】
（１）掌で人体の肉質部分の外表面を押圧及び／又は摩擦する手掌施術
掌１つ又は両手の掌２つで背中、大腿部、脹脛、二の腕、腹部のように人体の柔らかい肉質部分に軽い押圧と摩擦を加えることで、ボディラインの整調や精神的なリフレッシュの効果が期待される。
【００１５】
（２）親指と人差指の間で人体の肉質部分の外表面を押圧及び／又は摩擦する指間腔施術
親指と人差指の間を人体の肉質部分の外表面の凸部にはめ込んで押圧及び／又は摩擦する手技である。
顔の輪郭、二の腕等の腕回り、脇腹等の人体の肉質部分の曲率半径の小さい湾曲表面に沿って押圧及び／又は摩擦することで、当該凸部の筋肉までの深い層の凝りをほぐして、ボディラインの整調や精神的なリフレッシュの効果が期待される。
【００１６】
（３）掌の付け根で人体の肉質部分の外表面を押圧及び／又は摩擦する母指球手根施術。
掌の付け根（手根及び／又は母指球）に施術者の体重をかけて応力集中して押圧及び／又は摩擦する手技である。手根と母指球を
手根施術は、片手の手根を使用する場合と、両腕の手根を横に並べて手根２つを使用する場合があるが、押圧効果が高い手根２つで押圧及び／又は摩擦することが好ましい。
【００１７】
（４）親指で人体の肉質部分の外表面を押圧及び／又は摩擦する母指施術
親指１本又は２本の指頭に施術者の体重をかけて応力集中して押圧及び／又は摩擦する手技である。
人体のツボを押圧し、肩等の人体のいわゆる凝った肉質部分の筋肉までの深い層に対して、面方向に筋肉をほぐすことで血流促進をして精神的なリフレッシュに繋がる効果が期待される。
母指施術は、親指１本で押圧及び／又は摩擦する場合と、左右の手の親指を横に並べて親指２本で押圧及び／又は摩擦する場合があるが、押圧効果が高い親指２本で押圧及び／又は摩擦することが好ましい。
【００１８】
（５）第２〜４指の指頭で人体の肉質部分の外表面を押圧及び／又は摩擦する四横指施術
第２〜４指の指頭を横に並べて押圧及び／又は摩擦する手技である。
母指施術に比べて応力集中が相対的に小さいため、人体の肉質部分の皮膚表面や背中全体のような広範囲の肉質部分の外表面近傍を対象とし、皮膚表面温度を上昇させ皮膚表面の緊張を緩和し、身体的・精神的なリラックス効果が期待される。
【００１９】
（６）握りこぶしで人体の肉質部分の外表面を握掌施術
握りこぶしの指の背面で形成される平面部と指の間接で形成される凸部とで、人体の肉質部分の外表面を、様々な応力を集中して押圧及び／又は摩擦手技である。
【００２０】
（７）肘で人体の肉質部分の外表面を押圧及び／又は摩擦する肘施術
腕を曲げて形成突出した肘関節部分で、人体の肉質部分の外表面をに応力を集中して押圧及び／又は摩擦手技である。
母指施術に比べて応力集中が相対的に大きく、人体の肉質部分の外表面に対する接触面積が大きいため、背中全体のような広範囲の肉質部分の外表面から深い部分を対象として押圧及び／又は摩擦する。
【００２１】
〔本発明１〕
本発明１は、
人体の外表面を押圧及び摩擦するための湾曲物品であって、
前記湾曲物品は長さ方向に上面と、前記上面に対向する下面とを有し、
前記上面及び前記下面のそれぞれが少なくとも１の凹部を備える湾曲物品である。
【００２２】
（外包直方体）
本発明１が平面で切り取られる断面積が最大となるときの当該平面をＳＶとする。
ＳＶで切り取られる本発明１の断面の輪郭線と交わる直線が、当該輪郭線で切り取られる最大長の線分Ｘの方向を本発明１の長さ方向、当該線分Ｘの長さＬを本発明１の長さといい、線分Ｘの両末端を本発明１の末端という。
【００２３】
ＳＶの一方の側（以下「一方の側方」という）のＳＶに平行な本発明１の接平面で、ＳＶから最遠の接平面と、
ＳＶの他方の側（以下「他方の側方」という）のＳＶに平行な本発明１の接平面で、ＳＶから最遠の接平面との距離Ｗを本発明１の厚さといい、ＳＶに垂直な方向を厚さ方向という。
【００２４】
線分Ｘを含むＳＶに垂直な平面をＳＨとしたとき、
ＳＨの一方の側（以下「上方」という）のＳＨに平行な本発明１の接平面で、ＳＨから最遠の接平面と、
ＳＨの他方の側（以下「下方」という）のＳＨに平行な本発明１の接平面で、ＳＨから最遠の接平面との距離Ｈを本発明１の高さといい、ＳＨに平行な方向を高さ方向という。
【００２５】
本発明１は長さＬ、高さＨ、厚さＷの直方体に接して外包されることになるが、当該直方体を本発明１の外包直方体という。
【００２６】
本発明１は、負荷低減性の観点から、施術者にとって取り扱い易い大きさであることが好ましいことと、施術効果伝達性の観点から、本発明１の端縁が人体の肉質部分の外表面に接触した際に、厚さが過度に大きい（厚すぎる）と端縁部に応力が集中し難くなり、厚さが過度に小さい（薄すぎる）と端縁部に応力が集中しすぎて人体の肉質部分の外表面が傷ついたり肉質部分が損壊したりすることにつながるため、外包直方体の（Ｌ、Ｈ、Ｗ）は、
好ましくは、（100〜1000ｍｍ、20〜200ｍｍ、10〜100ｍｍ）、
より好ましくは、（200〜700ｍｍ、30〜150ｍｍ、15〜50ｍｍ）
更に好ましくは、（350〜500ｍｍ、50〜100ｍｍ、20〜30ｍｍ）であり、
長さと高さの比Ｌ／Ｈは、好ましくは１．５〜２０、より好ましくは２．５〜１５、更に好ましくは５〜１０であり、
長さと厚さの比Ｌ／Ｗは、好ましくは５〜４０、より好ましくは１０〜３０、更に好ましくは１５〜２５である。
【００２７】
（凹部）
本発明１は、本発明１の上方の空間に接する長さ方向に線分Ｘの両端間で連続した外表面（以下「上面」という）と下方の空間に接する長さ方向に線分Ｘの両端間で連続した外表面（以下「下面」という）を有し、上面及び下面は対向している。
【００２８】
本発明１の上面及び下面の稜線は、高さ方向に対して湾曲しており、それぞれが少なくとも１の凹部を構成する。上面及び下面のそれぞれの稜線が凹部を構成するとき、当該上面及び下面はそれぞれ凹部を備えるともいう。
【００２９】
以下では、上面が備える凹部を「上面の凹部」又は「上面凹部」、下面が備える凹部を「下面凹部」という。
【００３０】
負荷低減性と施術効果伝達性の観点から、凹部によって人体の湾曲部位に均一に応力が加わるように、凹部を構成する稜線は短い直線が接続して多角形で近似される湾曲を形成しても、滑らかな曲線で湾曲を形成してもよいが、滑らかな曲線で湾曲を形成していることが好ましい。
【００３１】
一の凹部を構成する稜線と交わる直線から当該稜線で切り取られる最大長の線分（以下「凹部の底辺」という）の長さをｌ凹、当該最大長の線分に垂直な直線が当該最大長の線分と当該稜線とで切り取られる最大の線分（以下「凹部の高さ」という）の長さをｈ凹とする。
なお、当該最大長の線分と稜線の交点を凹部の頂点という。
【００３２】
（凸部）
本発明１の上面及び下面の稜線は、負荷低減性及び施術効果伝達性の観点から、さらに少なくとも１の凸部を構成することが好ましい。
【００３３】
上面及び／又は下面の稜線が凸部を構成するとき、凸部を構成する当該上面又は下面は凸部を備えるともいう。
【００３４】
本発明１の両末端は、両端部を頂点とする凸部を構成している。
【００３５】
以下では、上面の稜線が構成する凸部を「上面の凸部」又は「上面凸部」、下面の稜線が構成する凹部を「下面凸部」という。
【００３６】
凸部が人体の湾曲部位に集中した応力を加える観点から、凸部を構成する稜線は短い直線が接続して多角形で近似される湾曲を形成しても、滑らかな曲線で湾曲を形成してもよいが、滑らかな曲線で湾曲を形成していることが好ましい。
【００３７】
凸部を構成する稜線と交わる直線が当該稜線で切り取られる最大長の線分（以下「凸部の底辺」という）の長さをｌ凸、当該最大長の線分に垂直な直線が当該最大長の線分と当該稜線とで切り取られる最大の線分（以下「凸部の高さ」という）の長さをｈ凸とする。
なお、当該最大長の線分と稜線の交点を凸部の頂点という。
【００３８】
（湾曲端縁近傍の好適形態）
負荷低減性及び施術効果伝達性の観点から、本発明１の凹部及び凸部の湾曲端縁を形成する稜線の両側面は稜線に向けて鋭角を形成するのではなく丸みを帯びていることが好ましい。
【００３９】
丸みの程度は、後述する凹部又は凸部が代替する施術機能に応じて以下の２形態が好ましい。
（１）稜線に垂直な稜線を含む断面は円又は円に近い上下面方向に長い楕円であるエッジ形態１；
（２）本発明１の側方の空間に接している表面（以下「側面」ともいう）において、当該表面の内部から稜線の向きにテーパー状に厚みが薄くなっているエッジ形態２。
【００４０】
負荷低減性及び施術効果伝達性の観点から、人体の肉質部分の外表面にあまり応力を集中させたくない場合は稜線近傍はエッジ形態１が好ましく、人体肉質部分の外表面に応力を集中させたい場合は稜線近傍はエッジ形態２であることが好ましい。
【００４１】
（凹部の好適設計）
凹部は、凹部湾曲端縁が人体の湾曲部位に押し当てられて当該湾曲部位に応力及び／又は摩擦を加えるために使用され、以下のような機能が代替されるように設計されることが好ましい。
【００４２】
（１）１手掌施術代替凹部
凹部の底辺が片手の掌程度の幅の大きさで、大腿部、背中、脹脛、二の腕、腹部のような柔らかい肉質部分の外表面にあてがわれ、手掌施術機能を代替する観点から、
ｌ凹とｈ凹／ｌ凹（ｌ凹、ｈ凹／ｌ凹）は、
好ましくは（40〜200ｍｍ、0.01〜0.30）、
より好ましくは（50〜170ｍｍ、0.03〜0.25）、
更に好ましくは（60〜140ｍｍ、0.05〜0.20）である。
【００４３】
（２）２手掌施術代替凹部
凹部の底辺が両手の掌を横に並べた程度の幅の大きさで、大腿部、背中、脹脛、二の腕、腹部のような柔らかい肉質部分の外表面にあてがわれ、手掌施術機能を代替する観点から、
ｌ凹とｈ凹／ｌ凹（ｌ凹、ｈ凹／ｌ凹）は、
好ましくは（150〜400ｍｍ、0.05〜0.30）、
より好ましくは（200〜350ｍｍ、0.07〜0.25）、
更に好ましくは（250〜310ｍｍ、0.1〜0.22）である。
【００４４】
（３）指間腔施術代替凹部
凹部の底辺が指間腔を形成する親指先端と人差し指先端の直線距離程度の大きさで、顔の輪郭、顎下回り、首回り、耳回り、鎖骨回り、脇回り、バストアンダー周囲、二の腕、脹脛、合い首回りのようなリンパ筋近傍及び腹部よりも相対的に細い部分の押圧及び摩擦する指間腔施術を代替する観点から、
ｌ凹とｈ凹／ｌ凹（ｌ凹、ｈ凹／ｌ凹）は、
好ましくは（20〜250ｍｍ、0.09〜0.25）、
より好ましくは（80〜220ｍｍ、0.11〜0.20）、
更に好ましくは（110〜190ｍｍ、0.13〜0.18）である。
【００４５】
人体の肉質部分の外表面に加わる応力の観点から、
手掌施術代替凹部及び２手掌施術代替凹部の稜線近傍はエッジ形態１であることが好ましいく、
指間腔施術代替凹部の稜線近傍はエッジ形態１であることが好ましい。
【００４６】
上面凹部の底辺の総和をΣｌ凹上、高さの総和をΣｈ凹上、下面凹部の底辺の総和をΣｌ凹下、高さの総和をΣｈ凹下とすると、
Σｌ凹上≦Ｌ、Σｌ凹下≦Ｌ、Ｌ≦Σｌ凹上＋Σｌ凹下、Σｈ凹上＜Ｈ、Σｈ凹下＜Ｈ
であることが好ましい。
【００４７】
（凸部の好適設計）
凸部は、凸部湾曲端縁が人体の肉質部分の体表面に押し当てられて当該表面部分に応力及び／又は摩擦を加えるために使用され、以下のような機能が代替されるように設計されることが好ましい。
【００４８】
（１）２手根施術代替凸部
両手の手根を横に並べて施術する機能を代替する観点から、
ｌ凸とｈ凸／ｌ凸（ｌ凸、ｈ凸／ｌ凸）は、
好ましくは（150〜400ｍｍ、0.05〜0.25）、
より好ましくは（200〜350ｍｍ、0.07〜0.20）、
更に好ましくは（250〜310ｍｍ、0.10〜0.15）である。
【００４９】
（２）１母指施術代替凸部
母指１本で施術する機能を代替する観点から、端部以外のｌ凸とｈ凸／ｌ凸（ｌ凸、ｈ凸／ｌ凸）は、
好ましくは（40〜130ｍｍ、0.03〜0.21ｍｍ）、
より好ましくは（60〜150ｍｍ、0.05〜0.17ｍｍ）、
更に好ましくは（80〜170ｍｍ、0.07〜0.15ｍｍ）である。
１母指施術代替凸部が本発明１の両端部に構成される場合の端部以外のｌ凸とｈ凸／ｌ凸（ｌ凸、ｈ凸／ｌ凸）は、
好ましくは（7〜80ｍｍ、0.20〜1.20ｍｍ）、
より好ましくは（10〜50ｍｍ、0.35〜0.90ｍｍ）、
更に好ましくは（12〜30ｍｍ、0.50〜0.70ｍｍ）である。
なお、端部のｈ凸は、線分Ｘの端部でのＳＶ内の接線に垂直に、本発明１の内部に１ｃｍの点を通る当該接線に平行な直線が本発明１のＳＶ内の本発明１で切り取られる線分の長さを端部凸部の底辺ｌ凸、当該１ｃｍを端部凸部の高さｈ凸とする。
【００５０】
（３）２母指・母指球・四横指・肘施術代替凸部
２〜４本の母指・母指球・四横指・肘で施術する機能を代替する観点から、
ｌ凸とｈ凸／ｌ凸（ｌ凸、ｈ凸／ｌ凸）は、
好ましくは（80〜250ｍｍ、0.10〜0.30）、
より好ましくは（100〜210ｍｍ、0.12〜0.25）、
更に好ましくは（120〜180ｍｍ、0.15〜0.22）である。
【００５１】
人体の肉質部分の外表面に加わる応力の観点から、
両端部以外の１母指施術代替凸部及び２母指・母指球・四横指・肘施術代替凸部稜線近傍はエッジ形態１であることが好ましいく、
両端部の１母指施術代替凸部及び指間腔施術代替凹部の稜線近傍はエッジ形態２であることが好ましい。
【００５２】
（握掌施術代替凸部及び手掌施術代替テーパー部の好適設計）
（１）握掌施術代替凸部
握掌施術における握りこぶしの手背部の指第２関節と指の背部の機能を代替する観点からは、本発明１は握りこぶし程度の大きさであることが好ましく、この場合、
本発明１の（Ｌ、Ｈ、Ｗ）は、
好ましくは（110〜200ｍｍ、40〜130ｍｍ、30〜60ｍｍ）
より好ましくは（130〜180ｍｍ、55〜110ｍｍ、35〜55ｍｍ）
更に好ましくは（140〜160ｍｍ、60〜80ｍｍ、40〜50ｍｍ）であり、
端部以外のｌ凸とｈ凸／ｌ凸（ｌ凸、ｈ凸／ｌ凸）は、
好ましくは（100〜220ｍｍ、0.10〜0.50）、
より好ましくは（110〜200ｍｍ、0.15〜0.45）、
更に好ましくは（120〜150ｍｍ、0.20〜0.40）であり、
端部のｌ凸とｈ凸／ｌ凸（ｌ凸、ｈ凸／ｌ凸）は、
好ましくは（10〜90ｍｍ、0.11〜1.00）、
より好ましくは（15〜70ｍｍ、0.14〜0.67）、
更に好ましくは（20〜50ｍｍ、0.20〜0.50）である。
【００５３】
（２）手掌施術代替テーパー部
本発明１が上記の握りこぶし程度の好適な大きさ（Ｌ，Ｈ、Ｗ）である場合、手掌施術の機能を代替する観点から、ＳＶの他方の側（以下「他方の側方」という）のＳＶに平行な本発明１の接平面で、ＳＶから最遠の接平面と本発明１の接点をＰとしたときに、上面又は下面に凹部を備え、当該凹部の稜線から点Ｐまでの勾配を含むテーパー面が形成されていることが好ましく、この場合、
凹部のｌ凹とｈ凹／ｌ凹（ｌ凹、ｈ凹／ｌ凹）は、
好ましくは（80〜180ｍｍ、0.01〜0.20）、
より好ましくは（100〜160ｍｍ、0.02〜0.10）、
更に好ましくは（110〜130ｍｍ、0.03〜0.07）であり、
点Ｐから稜線までの最大長Ｔは、
好ましくは45〜55ｍｍ、より好ましくは40〜60ｍｍ、更に好ましくは35〜65ｍｍである。
【００５４】
なお、上面凹部の底辺の総和をΣｌ凸上、高さの総和をΣｈ凸上、下面凹部の底辺の総和をΣｌ凸下、高さの総和をΣｈ凸下とすると、＞
Σｌ凸上≦Ｌ、Σｌ凸下≦Ｌ、Ｌ≦Σｌ凸上＋Σｌ凸下、Σｈ凸上＜Ｈ、Σｈ凸下＜Ｈ
であることが好ましい。
【００５５】
（凹部と凸部の組合せ）
上面又は下面の一方の面において、隣り合う凹部の接続部が凸部であることが好ましい。即ち、隣り合う凹部はそれぞれ隣接する凹部の稜線の端部が滑らかな曲線で接続され、当該接続部分が湾曲した凸部を形成することが好ましい。即ち、上面及び下面の一方の面で、凹部と凸部は隣接しており、凹部の頂点が凸部の底辺の末端で、凸部の頂点が凹部の末端であることが好ましい。
【００５６】
負荷低減性の観点から、本発明１がコンパクトになるように、本発明１の上面及び下面の少なくとも１の凹部は、他方の面の凸部と対向していることが好ましく、
本発明１の上面及び下面の一方の面に２手掌施術代替凹部が、他方の面に２手根施術代替凸部が構成されている場合、当該２手掌施術代替凹部と当該２手根施術代替凸部が対向していることが好ましく、
【００５７】
本発明１の上面及び下面の一方の面に１手掌施術代替凹部が、他方の面に２母指・母指球・四横指・肘施術代替凸部が構成されている場合、当該１手掌施術代替凹部と２母指・母指球・四横指・肘施術代替凸部が対向していることが好ましい。
【００５８】
本発明１のコンパクト性の観点から、線分Ｘの端部から１ｃｍを除く部分本発明１の対向する上面及び下面で切り取られるＳＶ内の線分Ｘの端部から30ｍｍを除く部分に垂直な線分の長さ（対向する面の距離）で、
最小値ｄｍｉｎは、好ましくは5〜50ｍｍ、より好ましくは10〜40ｍｍ、更に好ましくは15〜35ｍｍであり、
最大値ｄｍａｘは、好ましくは30〜120ｍｍ、より好ましくは35〜100ｍｍ、更に好ましくは40〜80ｍｍであり、
ｄｍａｘ＞ｄｍｉｎである。
【００５９】
負荷低減性及び施術効果伝達性の観点から、本発明１の上面又は下面に凹部又は凸部が複数ある場合、その中の少なくとも２つは、それぞれの底辺及び／又は高さの値が異なる凹部を、又は凸部を組合せることが好ましく、
底辺の場合、好ましくは5〜40ｍｍ、より好ましくは10〜30ｍｍ、更に好ましくは15〜25ｍｍ異なり、
高さの場合、好ましくは1〜15ｍｍ、より好ましくは2〜10ｍｍ、更に好ましくは3〜5ｍｍ異なることである。
【００６０】
負荷低減性及び施術効果伝達性の観点から、本発明１は、１手掌施術代替凹部、２手掌施術代替凹部及び指間腔施術代替凹部からなる群から選ばれる、好ましくは少なくとも１種の、より好ましくは少なくとも２種の、更に好ましくは少なくとも３種の凹部を備えることが好ましい。
【００６１】
負荷低減性及び施術効果伝達性の観点から、本発明１は、上記凹状湾曲部位に加えて、さらに、２手根施術代替凸部、１母指施術代替凸部及び２母指・母指球・四横指・肘施術代替凸部からなる群から選ばれる、好ましくは少なくとも１種の、より好ましくは少なくとも２種の、更に好ましくは少なくとも３種の凸部を備えることが好ましく、１母指施術代替凸部が本発明１の両末端を構成することが好ましい。
【００６２】
（材質）
本発明１の材質は、施術を行うのに必要な強度と耐久性があればよく、木質、プラスチック、繊維強化プラスチック、セラミックス、金属等を使用できるが、少なくとも凹部及び凸部のエッジ部分は、人体への肌触りがよいという観点から、
好ましくは、木質、表面をアンチスリップ加工したプラスチック、セラミックス及び金属からなる群から選ばれる少なくとも１種の材質であり、
より好ましくは、木質及び／又は表面をアンチスリップ加工したプラスチック、
更に好ましくは、木質である。
【００６３】
負荷低減性及び施術効果伝達性の観点から、本発明１の凹部及び凸部のエッジ部分以外の部分は、軽量な木質及び／又はプラスチックが好ましく、木質がより好ましい。
【００６４】
木質としては、強度、軽量、肌触り、成形性の観点から、
好ましくは白樺、檜、アカマツ、カツラ、トチ、クスノキ、カヤ、カラマツ、キハダ、エゾマツ、ヒバ、モミ、ヒメコマツ、コウヤマキ、ヒノキ、スギ、ヤクスギ、クロマツ、サワラ等であり、より好ましくは、白樺又は檜であり、更に好ましくは、白樺である。
【００６５】
プラスチックとしては、強度、軽量、肌触り、成形性の観点から、ポリエチレン（ＰＥ）、ポリプロピレン（ＰＰ）、ポリスチレン（ＰＳ）、ポリ塩化ビニル（ＰＶＣ）、ポリ塩化ビニリデン（ＰＶＤＣ）、ポリアミド（ＰＡ）、ポリエチレンテレフタレート（ＰＥＴ）、非結晶ポリエチレンテレフタレート（Ａ−ＰＥＴ）、ポリ乳酸（ＰＬＡ）等の熱可塑性樹脂が好ましい。
【００６６】
金属としては、強度、軽量、肌触り、成形性の観点から、ステンレス、鉄、アルミニウム、真鍮、炭素鋼、チタン、銅等を使用できるが、環境衛生の観点から、ステンレス又はチタンが好ましく、ステンレスがより好ましい。
【００６７】
負荷低減性及び施術効果伝達性の観点から、本発明１の材質の密度（木の場合は、含水率が15%になった状態の気乾密度）は、好ましくは０．３〜４．０、より好ましくは０．４〜２．０、更に好ましくは０．５〜１．０、更に好ましくは０．６〜０．８である。
【００６８】
負荷低減性及び施術効果伝達性の観点から、本発明１の重量は、好ましくは３０〜５００ｇ、より好ましくは５０〜４００ｇ、更に好ましくは８０〜３００ｇである。
【００６９】
（製造方法）
本発明１は、強度、軽量、肌触りの観点から、上記した材質の材料に応じて、材料を切削成形する、金型で鋳造する、射出成形する、３Ｄプリンター成形する等によって所望の形態に一体成形することが好ましい。
【００７０】
〔キット〕
本発明２は、２以上の本発明１の湾曲物品からなる湾曲物品キットである。
凹部が代替する機能及び凸部が代替する機能を１つの本発明１の湾曲物品に担わせると、形状が複雑になったり、サイズ・重量が大きくなったりするため、負荷低減性及び施術効果伝達性の観点から、複数の本発明１の湾曲物品で分担して、本発明１を単独で使用するよりも、２以上の本発明１の湾曲物品からなる湾曲物品キットを使用することが好ましい。
【００７１】
負荷低減性及び施術効果伝達性の観点から、本発明２は、
少なくとも２手掌施術代替凹部を備える１の本発明１の湾曲物品１と、指間腔施術代替凹部を備える他の１の本発明１の湾曲物品２を含むキット１であることが好ましく、
キット１において湾曲物品１がさらに１手掌施術代替凹部粗備えるキット２であることがより好ましく、
キット１又は２において、さらに握掌施術代替凸部及び／又は手掌施術代替テーパー部を備える１の本発明１の湾曲物品３を含むキット３であることが更に好ましい。
【００７２】
負荷低減性及び施術効果伝達性の観点から、本発明２は、キット１〜３において、湾曲物品１及び／又は２が１母指施術代替凸部及び２母指・母指球・四横指・肘施術代替凸部からなる群から選ばれる、好ましくは少なくとも１種の、より好ましくは２種の、更に好ましくは３種の凸部を備えるキット４であることが好ましく、湾曲物品１及び／又は２の両末端が１母指施術代替凸部であることがキット５であることがより好ましく、
キット４又は５において、両末端以外にも１母指施術代替凸部及び／又は２母指・母指球・四横指・肘施術代替凸部を備えるキット６であることが更に好ましい。
【００７３】
〔用途〕
本発明１及び本発明２は、国家資格に基づき人体の肉質部分の外表面を押圧及び摩擦することを業とするあん摩マッサージ指圧師や、リラクゼーションの一環として人体の肉質部分の外表面を押圧及び摩擦することを業とするセラピストが、当該押圧作業の補助道具として、あるいは新たなリラクゼーション効果を追求するための道具として有用である。
【００７４】
〔実施形態例〕
（１）本発明１及び２の実施形態例１〜４について、図１〜１７を参照しながら説明する。
（２）本発明１の実施形態例１〜３の各部位の寸法は表１にまとめ、代替する施術機能は表２にまとめた。
（３）実施形態例１〜３において、
写真の上方に向く面が本発明１の上面、写真の下方に向く面が本発明１の下面、
本発明１は全て白樺製である。
（４）テーパーの最大長を含む点線と稜線で囲まれた領域はテーパーの領域である。
（５）表１の寸法部位に対応する図面の記号は、長さを示す線分は両末端に矢印をつけて範囲を明瞭にし、図面の明暗部領域を考慮して、文字と図形を白抜きにした場合がある。
【００７５】
（本発明１の実施形態例１）
本発明１の実施形態例１について図１〜３並びに表１及び２を参照しながら説明する。
【００７６】
実施形態例１は使用する凹部又は凸部の両端を両手で把持して人体の肉質部分の外表面を押圧及び摩擦できるように、長さＬが高さＨに比べて大きくなっている。
【００７７】
実施形態例１の外包直方体の大きさは（Ｌ、Ｈ、Ｗ）は（435ｍｍ、70ｍｍ、30ｍｍ）であり、重量は２３９ｇである。
【００７８】
実施形態例１は、両端部が１母指施術代替凸部を形成し、
上面に２つの１手掌施術代替凹部及び１つの２手掌施術代替凹部が３つの１つの２母指施術代替凸部及び２つの１母指施術代替凸部と隣接し、
下面に１つの１手掌施術代替凹部及び１母指球施術凹部が１つの２手根施術代替凸部及び２母指・母指球・四横指・肘施術代替凸部と隣接する。
【００７９】
凹部及び凸部の稜線近傍の形態は、図１（ａ）右端部以外はエッジ形態１であり、図１（ａ）右端部はエッジ形態２で、上面及び下面方向に垂直の方向に扁平になっている。
【００８０】
実施形態例１は、
上面の２手掌施術代替凹部と下面の２手根施術代替凸部が対向し、
上面の１手掌施術代替凹部の１つと下面２母指・母指球・四横指・肘施術代替凸部の１つが対向している。
【００８１】
実施形態例１のように長さＬが高さＨに比べて大きく、複数の凹部及び凸部を備える、両手で握って操作する本発明１の外包直方体の大きさは（Ｌ、Ｈ、Ｗ）は、
好ましくは、（250〜550ｍｍ、40〜120ｍｍ、15〜60ｍｍ）、
より好ましくは、（300〜500ｍｍ、50〜100ｍｍ、20〜50ｍｍ）
更に好ましくは、（350〜450ｍｍ、60〜80ｍｍ、25〜40ｍｍ）であり、
重量は、好ましくは150〜350ｇ、より好ましくは180〜300ｇ、更に好ましくは210〜250ｇである。
【００８２】
（本発明１の実施形態例２）
本発明１の実施形態例２について図４〜９並びに表１及び２を参照しながら説明する。
【００８３】
実施形態例２は使用する凹部又は凸部の端部を一方の片手で把持して他方の片手を添えて人体の肉質部分の外表面を押圧及び摩擦できるように、長さＬが実施形態例１よりも短い。
【００８４】
実施形態例２の外包直方体の大きさは（Ｌ、Ｈ、Ｗ）は（230ｍｍ、75ｍｍ、25ｍｍ）であり、重量は８８ｇである。
【００８５】
実施形態例２は、両端部が１母指施術代替凸部を形成し、
上面に１つの指間腔施術代替凹部及び１つの２母指・母指球・四横指・肘施術代替凸部が隣接し、
下面に１つの指間腔施術代替凹部及び１つ１手根施術代替凸部が隣接し、
上面の指間腔施術代替凹部と下面の１手根施術代替凸部が対向し、
上面の２母指・母指球・四横指・肘施術代替凸部と下面の指間腔施術代替凹部対向している。
【００８６】
凹部及び凸部の稜線近傍の形態は、上面の指間腔施術代替凹部、下面の１手根施術代替凸部及び図４左端部はエッジ形態２であり、それ以外の稜線近傍はエッジ形態１である。
【００８７】
実施形態例２のように片手で把持することを想定し、凹部又は凸部のエッジ形態２の稜線近傍が相対的に多い本発明１の外包直方体の大きさは（Ｌ、Ｈ、Ｗ）は、
好ましくは、（250〜550ｍｍ、40〜120ｍｍ、10〜45ｍｍ）、
より好ましくは、（300〜500ｍｍ、50〜100ｍｍ、15〜40ｍｍ）
更に好ましくは、（200〜250ｍｍ、65〜85ｍｍ、20〜30ｍｍ）であり、
重量は、好ましくは40〜200ｇ、より好ましくは60〜150ｇ、更に好ましくは80〜100ｇである。
【００８８】
（本発明１の実施形態例３）
本発明１の実施形態例３について図１０〜１６並びに表１及び２を参照しながら説明する。
【００８９】
実施形態例３は使用する握掌施術代替凸部を有効に活用するために握りこぶし大にして片手で操作できるようにしている。
【００９０】
実施形態例３の外包直方体の大きさは（Ｌ、Ｈ、Ｗ）は（145ｍｍ、70ｍｍ、45ｍｍ）であり、重量は１３５ｇである。
【００９１】
実施形態例３は、両端部が１母指施術代替凸部及び２母指施術代替凸部を形成し、
上面に１つの１手掌施術代替凹部が両端凸部と隣接し、
下面に１つの指間腔施術代替凹部が握掌施術代替凸部と隣接する。
【００９２】
下面の指間腔施術代替凹部以外の凹部及び凸部の稜線近傍の形態は、図１３右端部以外はエッジ形態２であり、下面の指間腔施術代替凹部の最低部で左右の勾配が図１３の前面から後面にかけて直線状の境界を形成する。
【００９３】
実施形態例３は、
上面の１手掌施術代替凹部と下面の握掌施術代替凸部が対向する。
【００９４】
実施形態例３のように使用する握掌施術代替凸部を有効に活用するために握りこぶし大にして片手で操作できるようにしている本発明１の外包直方体の大きさは（Ｌ、Ｈ、Ｗ）は、
好ましくは、（115〜185ｍｍ、40〜100ｍｍ、25〜80ｍｍ）、
より好ましくは、（125〜170ｍｍ、50〜90ｍｍ、30〜65ｍｍ）
更に好ましくは、（135〜155ｍｍ、60〜80ｍｍ、35〜55ｍｍ）であり、
重量は、好ましくは115〜180ｇ、より好ましくは120〜160ｇ、更に好ましくは125〜145ｇである。
【００９５】
【表１】
2019037668.tif 000029
【００９６】
【表２】
2019037668.tif 000030
【００９７】
（本発明２の実施形態例１）
本発明２の実施形態キット例１は、図１７に示すように、本発明１の実施形態例１、２及び３とで構成される。
【００９８】
本発明２の実施形態キット例１によれば、各湾曲物品が、従来の補助具に比べて、施術効果伝達性が補助具を使用しない場合と同等以上にし、施術者の負担を軽減するため、それぞれ異なる人体の肉質部分の外表面の箇所に対して、異なる押圧及び摩擦効果の複数の施術を１回の施術機会で提供することができる。
【００９９】
（本発明２のその他の実施形態例）
（１）本発明２の実施形態キット例２は、本発明１の実施形態例１及び２とで構成される。
【０１００】
（２）本発明２の実施形態キット例３は、本発明１の実施形態例１及び３とで構成される。
【０１０１】
（３）本発明２の実施形態キット例４は、本発明１の実施形態例２及び３とで構成され、主に片手による施術の効果を代替することができる。
【符号の説明】
【０１０２】
Ｌ          外包直方体の長さ
Ｈ          外包直方体の高さ
Ｗ          外包直方体の幅
ｄｍａｘ      対向する面の距離の最大値
ｄｍｉｎ      対向する面の距離の最小値
ｒ１１        上面の稜線
ｒ１２        下面の稜線
ｒ２１        上面の稜線
ｒ２２        下面の稜線
ｒ３１        上面の稜線
ｒ３２        下面の稜線
ｒｔ２１      テーパーの領域の外縁
ｒｔ３１      テーパーの領域の外縁
Ｔ２１        テーパーの最大長部
Ｔ２２        テーパーの最大長部
Ｔ２３        テーパーの最大長部
ｌ凹ｉｊｋ      実施上形態例ｉ（ｉ＝１，２又は３）の上面凹部ｊｋの底辺
ｈ凸ｉｊｋ      実施上形態例ｉ（ｉ＝１，２又は３）の上面凸部ｊｋの高さ
１７−１      実施形態例１
１７−２      実施形態例２
１７−３      実施形態例３
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
人体の肉質部分の外表面を押圧及び摩擦するための湾曲物品であって、
前記湾曲物品は、人体の外表面を押圧及び摩擦することを業とするセラピストが、ボディラインの調整を目的に含む、前記湾曲物品を使用して押圧及び摩擦をすることを含む施術（但し、治療目的の施術を除く）に使用するためのものであり、
前記湾曲物品は長さ方向に上面と、前記上面に対向する下面とを有し、
前記上面及び前記下面のそれぞれが少なくとも１の凹部と、
前記上面及び前記下面のいずれかが少なくとも１の凸部とを備え、
前記湾曲物品を外包する外包直方体の長さＬ、高さＨ、厚さＷにおいて、Ｌ＝２００〜７００ｍｍ、Ｈ＝３０〜１５０ｍｍ、Ｗ＝１５〜５０ｍｍ、
前記長さＬと前記高さＨの比Ｌ／Ｈが２．５〜１５であり、
前記凸部の底辺ｌ凸が１００〜２１０ｍｍであり、
前記底辺ｌ凸と前記凸部の高さｈ凸の比ｈ凸／ｌ凸が０．１２〜０．２５であり、
前記凹部及び前記凸部の湾曲端縁を形成する稜線の両側面は稜線に向けて丸みを帯びている形態である湾曲物品。
【請求項２】
前記凹部の底辺の長さｌ凹及び高さｈ凹において、前記ｌ凹が２５０〜３１０ｍｍ、前記ｌ凹と前記ｈ凹の比ｈ凹／ｌ凹が０．１〜０，２２である請求項１記載の湾曲物品。
【請求項３】
前記凸部が、他方の面の少なくとも１つの前記凹部と対向している請求項１又は２記載の湾曲物品。
【請求項４】
前記湾曲物品が人体の外表面を押圧及び摩擦をする際に、少なくとも前記人体の外表面に接触する前記湾曲物品の部分の材質が木質である請求項１又は２記載の湾曲物品。
【請求項５】
２以上の請求項１〜４のいずれか１項記載の湾曲物品からなる湾曲物品キット。
【手続補正２】
【補正対象書類名】明細書
【補正対象項目名】００３５
【補正方法】変更
【補正の内容】
【００３５】
以下では、上面の稜線が構成する凸部を「上面の凸部」又は「上面凸部」、下面の稜線が構成する凸部を「下面凸部」という。
【手続補正３】
【補正対象書類名】明細書
【補正対象項目名】００４９
【補正方法】変更
【補正の内容】
【００４９】
（２）１母指施術代替凸部
母指１本で施術する機能を代替する観点から、端部以外のｌ凸とｈ凸／ｌ凸（ｌ凸、ｈ凸／ｌ凸）は、
好ましくは（40〜130ｍｍ、0.03〜0.21）、
より好ましくは（60〜150ｍｍ、0.05〜0.17）、
更に好ましくは（80〜170ｍｍ、0.07〜0.15）である。
１母指施術代替凸部が本発明１の両端部に構成される場合の端部以外のｌ凸とｈ凸／ｌ凸（ｌ凸、ｈ凸／ｌ凸）は、
好ましくは（7〜80ｍｍ、0.20〜1.20）、
より好ましくは（10〜50ｍｍ、0.35〜0.90）、
更に好ましくは（12〜30ｍｍ、0.50〜0.70）である。
なお、端部のｈ凸は、線分Ｘの端部でのＳＶ内の接線に垂直に、本発明１の内部に１ｃｍの点を通る当該接線に平行な直線が本発明１のＳＶ内の本発明１で切り取られる線分の長さを端部凸部の底辺ｌ凸、当該１ｃｍを端部凸部の高さｈ凸とする。
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
人体の肉質部分の外表面を押圧及び摩擦するための湾曲物品であって、
前記湾曲物品は、人体の外表面を押圧及び摩擦することを業とするセラピストが、ボディラインの調整を目的に含む、前記湾曲物品を使用して押圧及び摩擦をすることを含む施術（但し、治療目的の施術を除く）に使用するためのものであり、
前記湾曲物品は長さ方向に上面と、前記上面に対向する下面とを有し、
前記上面及び前記下面のそれぞれが少なくとも１の凹部と、
前記上面及び前記下面のいずれかが少なくとも１の凸部とを備え、
前記湾曲物品を外包する外包直方体の長さＬ、高さＨ、厚さＷにおいて、Ｌ＝２００〜７００ｍｍ、Ｈ＝３０〜１５０ｍｍ、Ｗ＝１５〜５０ｍｍ、
前記長さＬと前記高さＨの比Ｌ／Ｈが２．５〜１５であり、
前記凸部の底辺ｌ凸が１００〜２１０ｍｍであり、
前記底辺ｌ凸と前記凸部の高さｈ凸の比ｈ凸／ｌ凸が０．１２〜０．２５であり、
前記凹部の底辺の長さｌ凹及び高さｈ凹において、前記ｌ凹が２５０〜３１０ｍｍ、前記ｌ凹と前記ｈ凹の比ｈ凹／ｌ凹が０．１〜０，２２であり、
前記凹部及び前記凸部の湾曲端縁を形成する稜線の両側面は稜線に向けて丸みを帯びている形態である湾曲物品。
【請求項２】
前記凸部が、他方の面の少なくとも１つの前記凹部と対向している請求項１記載の湾曲物品。
【請求項３】
前記湾曲物品が人体の外表面を押圧及び摩擦をする際に、少なくとも前記人体の外表面に接触する前記湾曲物品の部分の材質が木質である請求項１記載の湾曲物品。